(57)【要約】【課題】  中継コネクタとして簡単な着脱構造を有し、あらゆる異なる形状のコネクタを接続することができるコネクタの接続構造を提供する。【解決手段】  筒状の中継コネクタ１の中心部に中心コンタクト３が誘電体２を介して配置され筒状本体１ａの前後に溝孔１ｂが形成され、溝孔にストッパー４が内部に向けて枢着され、ストッパーの操作部４ａと筒状本体の外面との間にストッパーを先端の係入部４ｂが筒状本体内に突出付勢するバネ５が配設され、コネクタ６、７の外面にコネクタの先端を中継コネクタに挿入した際にストッパーの係入部が係入する孔部６ａ、７ａが形成されコネクタの先端を中継コネクタに挿入して接続した際にストッパーの係入部がコネクタの孔部に係入されてコネクタの中心コンタクトと中継コネクタの中心コンタクトが導通状態になるように中継コネクタの前後に異なる形状のコネクタを着脱可能に接続する。【選択図】  図３
2007141698.tif 000002
【特許請求の範囲】
【請求項１】
コネクタ同士を中継コネクタで接続するようにしたコネクタの接続構造において、前記中継コネクタは筒状に形成され、その中心部に中心コンタクトがテフロンからなる誘電体を介して配置されていると共に、その筒状本体の前後に溝孔が形成され、この溝孔にストッパーが内部に向けて出没可能に枢着され、このストッパーの操作部と前記筒状本体の外面との間にストッパーをその先端の係入部が筒状本体内に突出するように付勢するバネが配設されており、前記コネクタの外面には、このコネクタの先端を前記中継コネクタに挿入したときに前記ストッパーの先端の係入部が係入する孔部が形成されていて、前記コネクタの先端を前記中継コネクタに挿入して接続した際に前記ストッパーの先端の係入部が前記コネクタの孔部に係入されて前記コネクタの中心コンタクトと前記中継コネクタの中心コンタクトが導通状態で接続されるように前記中継コネクタの前後に異なる形状のコネクタをそれぞれ着脱可能に接続するように構成したことを特徴とするコネクタの接続構造。
【請求項２】
コネクタ同士を中継コネクタで接続するようにしたコネクタの接続構造において、前記中継コネクタの中心部に中心コンタクトが配置されていると共に、その外周の前後に溝孔が形成され、この溝孔にストッパーが内部に向けて出没可能に枢着され、前記コネクタの外面には、このコネクタの先端を前記中継コネクタに挿入したときに前記ストッパーの先端が係入する孔部が形成されていて、前記コネクタの先端を前記中継コネクタに挿入して接続した際に前記ストッパーの先端が前記コネクタの孔部に係入されて前記コネクタの中心コンタクトと前記中継コネクタの中心コンタクトが導通状態で接続されるように前記中継コネクタの両側端に異なる形状のコネクタをそれぞれ着脱可能に接続するように構成したことを特徴とするコネクタの接続構造。
【発明の詳細な説明】
【技術分野】
【０００１】
本発明は、コネクタ同士を中継コネクタで接続するようにしたコネクタの接続構造に関するものである。
【背景技術】
【０００２】
従来、コネクタの接続構造は、片方の形状から他方への一対一のコネクタ形状の変換だけであり、どちらかが所望の形状と異なる場合には、それに合った専用の変換コネクタが必要であった。また、中継器を使用する場合にもそのコネクタの形状に合わせた変換コネクタが必要であるという問題があり、複数種類の変換コネクタを必要としていた。
【０００３】
第１の従来技術を図６、図７、図８に示す。この従来の同軸中継コネクタは、図６、図７、図８に示すように、絶縁筒体１２０は中心導体１１０が嵌挿される空間部１２０ａを軸方向に備えるとともに、その両端部に同軸ケーブルの芯線が挿入される開孔１２２ａ、１２３ａを備え、中心導体１１０は絶縁筒体１２０の開孔１２２ａ、１２３ａを通して挿入された同軸ケーブルの芯線を弾性的に狭持する芯線狭持部１１１ｂ、１１２ｂをその両端部に備えるとともに、絶縁筒体１２０の空間内に圧入された際にこの絶縁筒体１２０の内周壁に密着する膨出部１１１ｃ、１１２ｃをその中央部に備えるようにしている。このように、中心導体１１０が絶縁筒体１２０の開孔１２２ａ、１２３ａを通して挿入された同軸ケーブルの芯線を弾性的に狭持する芯線狭持部１１１ｂ、１１２ｂをその両端部に備えると、同軸ケーブルの芯線は中心導体１１０の芯線狭持部１１１ｂ、１１２ｂに弾性的に狭持されるだけであるため、この同軸中継コネクタの両端部にそれぞれ接続される同軸ケーブルの芯線の径がそれぞれ異なるものであっても、これらの同軸ケーブルを接続することが可能となる。（例えば、特許文献１参照）。
【０００４】
ところが、これにおいては、異なる径の芯線を有する同軸ケーブルを接続するものであって、異なる形状のコネクタを接続するものではなかった。また、構造が複雑であり、部品点数が多いという問題があった。  
【特許文献１】特開２００１−６８２３４号公報
【発明の開示】
【発明が解決しようとする課題】
【０００５】
本発明は、上記従来の問題に鑑みてなされたものであって、中継コネクタとして簡単な着脱構造を有するものとすることができ、あらゆる異なる形状のコネクタを接続することができるコネクタの接続構造を提供することを目的としている。
【課題を解決するための手段】
【０００６】
本発明は、上記課題を解決するために提案されたものであって、請求項１に記載の発明は、コネクタ同士を中継コネクタで接続するようにしたコネクタの接続構造において、前記中継コネクタは筒状に形成され、その中心部に中心コンタクトがテフロンからなる誘電体を介して配置されていると共に、その筒状本体の前後に溝孔が形成され、この溝孔にストッパーが内部に向けて出没可能に枢着され、このストッパーの操作部と前記筒状本体の外面との間にストッパーをその先端の係入部が筒状本体内に突出するように付勢するバネが配設されており、前記コネクタの外面には、このコネクタの先端を前記中継コネクタに挿入したときに前記ストッパーの先端の係入部が係入する孔部が形成されていて、前記コネクタの先端を前記中継コネクタに挿入して接続した際に前記ストッパーの先端の係入部が前記コネクタの孔部に係入されて前記コネクタの中心コンタクトと前記中継コネクタの中心コンタクトが導通状態で接続されるように前記中継コネクタの前後に異なる形状のコネクタをそれぞれ着脱可能に接続するように構成したことを特徴としている。
【０００７】
請求項２に記載の発明は、コネクタ同士を中継コネクタで接続するようにしたコネクタの接続構造において、前記中継コネクタの中心部に中心コンタクトが配置されていると共に、その外周の前後に溝孔が形成され、この溝孔にストッパーが内部に向けて出没可能に枢着され、前記コネクタの外面には、このコネクタの先端を前記中継コネクタに挿入したときに前記ストッパーの先端が係入する孔部が形成されていて、前記コネクタの先端を前記中継コネクタに挿入して接続した際に前記ストッパーの先端が前記コネクタの孔部に係入されて前記コネクタの中心コンタクトと前記中継コネクタの中心コンタクトが導通状態で接続されるように前記中継コネクタの両側端に異なる形状のコネクタをそれぞれ着脱可能に接続するように構成したことを特徴としている。
【発明の効果】
【０００８】
請求項１に記載の発明によれば、中継コネクタによって異なる形状のコネクタを接続することができ、また、中継コネクタのストッパーの係入部を各コネクタの孔部に係入するだけで中継コネクタに各コネクタを接続することができるから、簡単な着脱構造で中継コネクタによって異なる形状のコネクタを接続することができる。
【０００９】
請求項２に記載の発明によれば、中継コネクタによって異なる形状のコネクタを接続することができる。また、中継コネクタに異なる形状のコネクタを接続するための着脱構造を簡単化することができる。
【発明を実施するための最良の形態】
【００１０】
以下、本発明に係るコネクタの接続構造の実施の形態について、図を参照しつつ説明する。
【００１１】
図１は本発明のコネクタの接続構造の実施形態の分解した状態の平面図、図２は同構造の接続した状態の平面図、図３は同構造の接続した状態の一部断面した平面図、図４は同構造の要部の拡大端面図である。
【００１２】
本発明の実施形態のコネクタの接続構造は、図１、図２、図３、図４に示すように、中継コネクタ１が、筒状に形成され、その中心部にテフロンからなる誘電体２を介して中心コンタクト３が配置されている。筒状本体１ａの前後の図にて左右２箇所に溝孔１ｂが形成され、この溝孔１ｂにストッパー４が内部に向けて出没可能に枢着されている。このストッパー４の操作部４ａと筒状本体１ａの外面との間にストッパー４をその先端の係入部４ｂが筒状本体１ａ内に突出するように付勢するバネ５が配設されている。雄型のＢＣＮコネクタ６と雌型のＢＣＮコネクタ７の先端側の外面の図にて左右には、ストッパー４の先端の係入部４ｂが係入する孔部６ａ、７ａが形成されている。
【００１３】
両コネクタ６、７を中継コネクタ１で接続するには、図１の状態から、図４に一点鎖線で示すように、各ストッパー４の操作部４ａをバネ５の付勢力に抗して筒状本体１ａの外面側に押し付けてストッパー４の係入部４ｂが溝孔１b内に入り込んだ状態で図にて上側から雄型のＢＣＮコネクタ６の先端をまた図にて下側から雌型のＢＣＮコネクタ７の先端を筒状本体１a内に挿入する。各コネクタ６、７の孔部６ａ、７ａが中継コネクタ１の溝孔１ｂと合致した状態で各ストッパー４の操作部４ａから手を離すとバネ５の付勢力で各ストッパー４の係入部４ｂが各コネクタ６、７の孔部６ａ、７ａに係入して中継コネクタ１により各コネクタ６、７が図２、図３に示すように接続される。この状態で各コネクタ６、７の中心コンタクト６ｂ、７ｂが中継コネクタ１の中心コンタクト３に導通状態で接続される。
【００１４】
この中継コネクタ１から各コネクタ６、７を取り外すには、ストッパー４の操作部４ａを筒状本体１ａの外面側に向けてバネ５の付勢力に抗して押えると、各コネクタ６，７の孔部６ａ、７ａからストッパー４の係入部４ｂが外側に向けて外れて係入状態が解除されるので、この状態で各コネクタ６、７を中継コネクタ１から外側に引き抜いて外す。
【００１５】
図５（ａ）（ｂ）（ｃ）は同構造における別例のコネクタの平面図である。
【００１６】
図５（ａ）に示すのは、雄型のＳＭＡコネクタ８であり、その先端に左右２箇所に孔部８ａが形成されている。（ｂ）に示すのは、雌型のＮ型コネクタ９であり、その先端に左右２箇所の孔部９ａが形成されている。（ｃ）に示すのは、雄型のＦ型コネクタ１０であり、その先端に左右２箇所の孔部１０ａが形成されている。
【００１７】
図１〜図４に示す中継コネクタ１でこれらの各コネクタ８、９、１０も接続することができる。即ち、例えば雄型のＳＭＡコネクタ８の先端を中継コネクタ１に挿入し、その孔部８ａに中継コネクタ１のストッパー４の係入部４ｂを係入することによって、中継コネクタ１にこの雄型のＳＭＡコネクタ８を着脱可能に接続することができる。
【００１８】
本発明の実施形態によれば、中継コネクタ１によって異なる形状のコネクタを接続することができ、また、中継コネクタ１のストッパー４の係入部４ｂを各コネクタの孔部に係入するだけで中継コネクタ１に各コネクタを接続することができるから、簡単な着脱構造で中継コネクタ１に異なる形状のコネクタを接続することができる。
【図面の簡単な説明】
【００１９】
【図１】本発明のコネクタの接続構造の実施形態の分解した状態の平面図である。
【図２】同構造の接続した状態の平面図である。
【図３】同構造の接続した状態の一部断面した平面図である。
【図４】同構造の要部の拡大端面図である。
【図５】（ａ）（ｂ）（ｃ）は同構造における別例のコネクタの平面図である。
【図６】従来の同軸中継コネクタの分解斜視図である。
【図７】同コネクタの絶縁筒体を示す斜視図である。
【図８】同コネクタの組み立て後の断面図である。
【符号の説明】
【００２０】
１      中継コネクタ
１ａ    筒状本体
１ｂ    溝孔
２      誘電体
３      中心コンタクト
４      ストッパー
４ａ    操作部
４ｂ    係入部
５      バネ
６      雄型のＢＣＮコネクタ
６ａ    孔部
６ｂ    中心コンタクト
７      雌型のＢＣＮコネクタ
７ａ    孔部
７ｂ    中心コンタクト
８      雄型のＳＭＡコネクタ
８ａ    孔部
９      雌型のＮ型コネクタ
９ａ    孔部
１０    雄型のＦ型コネクタ
１０ａ  孔部
【図１】
2007141698.tif 000003
【図２】
2007141698.tif 000004
【図３】
2007141698.tif 000005
【図４】
2007141698.tif 000006
【図５】
2007141698.tif 000007
【図６】
2007141698.tif 000008
【図７】
2007141698.tif 000009
【図８】
2007141698.tif 000010